(57)【要約】【課題】  便蓋２を全開位置で停止させた際に振動が生じることを、確実に且つ低コストで抑制する。【解決手段】  便座支持体１に回動自在に連結される便蓋２により便座４０上方を開閉させる便座装置において、便蓋２に設けられるストッパ部５と、全開位置にある便蓋２のストッパ部５が当接するように便座支持体１に設けられるストッパ受け部６と、便蓋２の基端部分２ａに設けられる摺動部１５と、全開位置に至る直前から便蓋２の摺動部１５に摺接するように便座支持体１に設けられる緩衝部２０とを具備するものとし、且つ上記緩衝部２０を、全開位置に至る直前位置にある便蓋２の摺動部１５が乗り越える突曲面３０と、便蓋２の回動中心軸Ａとの間の距離Ｄが大きくなるような傾斜で突曲面３０から連続形成される傾斜面３１とを有するものとする。【選択図】        図１
2006167307.tif 000002
【特許請求の範囲】
【請求項１】
便器上に設置される便座支持体と、便座支持体に連結される便座と、基端部分に設けられる回動連結部を介して便座支持体と回動自在に連結される便蓋とを具備し、便蓋の回動により便座上方を開閉させる便座装置において、便蓋の基端部分に設けられるストッパ部と、全開位置にある便蓋のストッパ部が当接するように便座支持体に設けられるストッパ受け部と、便蓋の基端部分に設けられる摺動部と、全開位置に至る直前から便蓋の摺動部に摺接するように便座支持体に設けられる緩衝部とを具備するものとし、且つ上記緩衝部を、全開位置に至る直前位置にある便蓋の摺動部が乗り越える突曲面と、便蓋の回動中心軸との間の距離が大きくなるような傾斜で突曲面から連続形成される傾斜面とを有するものとすることを特徴とする便座装置。
【請求項２】
上記回動連結部として、便座支持体から突設される支持軸を回動自在に受ける軸保持体を設け、上記軸保持体に、便蓋が緩衝部と接触して持ち上げられる際に該便蓋と一体に持ち上げられて上記支持軸に圧接される圧接部を設けたことを特徴とする請求項１に記載の便座装置。
【発明の詳細な説明】
【技術分野】
【０００１】
本発明は、便蓋を開閉自在に有する便座装置に関し、詳しくは便蓋を開いた際の揺れを抑制する為の技術に関するものである。
【背景技術】
【０００２】
便器上には、便座装置が設置されることが通常である。この便座装置は、便器後部に設置される便座支持体と、この便座支持体に回動自在に連結される便座と、同じく便座支持体に回動自在に連結されて便座上を開閉する便蓋とで主体を構成するものである。上記便蓋は図６中にて符号２で示すようなものであり、その基端部分２ａの左右両側に形成される回動連結部３が、便座支持体１から左右両側に突設される支持軸４に嵌合することで、該回動連結部３を介して便座支持体１に回動自在に連結されるようになっている。便蓋２は、所定の開限度位置（以下、これを「全開位置」という）にて開動作を停止するものであり、この全開位置にて確実に停止させる為に、便蓋２の基端部分２ａから突設されるストッパ部５と、便座支持体１側に形成されるストッパ受け部６とを全開位置にて当接させる構造が用いられている（特許文献１参照）。
【０００３】
しかし、上記構造の便座装置にあっては、便蓋２が勢い良く開動作された場合には該便蓋２の停止時に大きな振動が発生してしまうという問題がある。即ち、手動又は電動にて勢い良く開動作を行った便蓋２は、そのストッパ部５が便座支持体１側のストッパ受け部６と勢い良く衝突し、この衝突の際にストッパ部５がストッパ受け部６からの反発力を受けて大きく跳ね返ることで便蓋２全体に振動を発生させるのである。このとき、特に便蓋２の先端部分においては大きな撓みを伴う振動が発生することとなり、数回のバウンドを繰返した後に全開位置で停止するものの、各バウンド時に生じる振動によって便蓋２の開閉動作の品質を大幅に低下させてしまう。
【０００４】
上記問題に対し、便蓋２の振動を抑制する為には幾つかの方法が考えられる。例えば、便蓋２と便座支持体１の連結箇所にダンパ等の摺動抵抗を備えることで、便蓋２の回転の勢いを弱める方法が考えられる。しかし、この場合には上記摺動抵抗が開閉時の余分な負荷となるので、便蓋２を手動で開閉する構造であれば、使用者にとっては便蓋２の開閉動作が面倒に感じられてしまう。一方、便蓋２がモータで開閉される構造であれば、上記摺動抵抗がモータに余分な負荷を与えることとなるので、高出力のモータを選定する必要が生じてコスト高を招くという問題や、モータの耐久性が低下するという問題が生じてしまう。
【０００５】
また、便蓋２の振動抑制の他の方法として、便蓋２と便座支持体１の連結個所に、便蓋２が全開位置にあるときに該便蓋２が嵌合係止する突起部を設けることで、便蓋２のバウンド現象を規制する方法が考えられる。しかし、この場合には、開閉動作を繰返すことで突起部に破損を生じ易く、これにより振動抑制効果の低下を招く恐れがあるといった問題がある。
【０００６】
また、便蓋２の振動抑制の更に他の方法として、便蓋２と便座支持体１との連結箇所に存在するがたつきを無くすように、各部品を高精度で設計及び組立てる方法が考えられる。これは、上記がたつきの存在が便蓋２のバウンド現象を助長させるからである。しかし、このように各部品の設計や組立てに高精度を要求した場合には、当然ながらコスト高を招くといった問題が生じてしまう。
【特許文献１】実開平０９−００００２３号公報
【発明の開示】
【発明が解決しようとする課題】
【０００７】
本発明は上記問題点に鑑みて発明したものであって、便蓋を全開位置で停止させた際に振動を生じることが確実に抑制された便座装置を、便蓋の開閉操作に余分な負荷を強いることなく、且つ繰返しの使用によっても抑制効果が低下せず、且つ低コストで製造可能なものとして提供することを課題とするものである。
【課題を解決するための手段】
【０００８】
上記課題を解決するために本発明を、便器５０上に設置される便座支持体１と、便座支持体１に連結される便座４０と、基端部分２ａに設けられる回動連結部３を介して便座支持体１と回動自在に連結される便蓋２とを具備し、便蓋２の回動により便座４０上方を開閉させる便座装置において、便蓋２の基端部分２ａに設けられるストッパ部５と、全開位置にある便蓋２のストッパ部５が当接するように便座支持体１に設けられるストッパ受け部６と、便蓋２の基端部分２ａに設けられる摺動部１５と、全開位置に至る直前から便蓋２の摺動部１５に摺接するように便座支持体１に設けられる緩衝部２０とを具備するものとし、且つ上記緩衝部２０を、全開位置に至る直前位置にある便蓋２の摺動部１５が乗り越える突曲面３０と、便蓋２の回動中心軸Ａとの間の距離Ｄが大きくなるような傾斜で突曲面３０から連続形成される傾斜面３１とを有するものとする。
【０００９】
上記構成の便座装置とすることで、開動作中の便蓋２は、摺動部１５が緩衝部２０の突曲面３０を乗り越えて勢いを弱めたうえで全開位置に至ることとなり、これにより上記ストッパ部５とストッパ受け部６との衝突の勢いを弱めることができる。更に、上記衝突によるストッパ部５のストッパ受け部６からの跳ね返りは、傾斜面３１から摺動部１５に作用する反力が上記跳ね返りの方向と逆方向に作用することで抑制される。したがって便蓋２が勢い良く開動作された場合であっても、便蓋２が全開位置にて停止する際にバウンド現象による振動を生じることが確実に抑制されるものである。
【００１０】
しかも、上記構成の便座装置にあっては、便蓋２の摺動部１５は該便蓋２が直前位置にまで至らない限りは緩衝部２０と摺動せず余計な負荷を与えないので、便蓋２を手動で開閉しようとする使用者に開閉動作を面倒に感じさせることがない。また便蓋２をモータで開閉する構造であれば、高出力のモータを選定する必要がなく低コスト化が可能であり、モータの耐久性が低下するといった問題もない。加えて、上記緩衝部２０は、突曲面３０から傾斜面３１を連続形成したような外面形状のものであるから、開閉動作を繰返した場合であっても摺動部１５との接触による破損を生じ難く、したがって振動抑制効果が低下する恐れがないものである。
【００１１】
また、上記構成の便座装置において、上記回動連結部３として、便座支持体１から突設される支持軸４を回動自在に受ける軸保持体９を設け、上記軸保持体９に、便蓋２が緩衝部２０と接触して持ち上げられる際に該便蓋２０と一体に持ち上げられて上記支持軸４に圧接される圧接部１６を設けることも好適である。上記圧接部１６は、軸保持体９と支持軸４との間のがたつきを、便蓋２が全開となる際に解消するものである。上記がたつきが存在する場合は便蓋２のバウンド現象を助長させる原因となるので、圧接部１６を備えることで、予め各部品を高精度で設計及び組立てておくといったコスト高な作業を要さず、低コストで便蓋２のバウンド現象を抑制することができる。
【発明の効果】
【００１２】
本発明は、便蓋を全開位置で停止させた際に振動を生じることが確実に抑制された便座装置を、便蓋の開閉操作に余分な負荷を強いることなく、且つ繰返しの使用によっても抑制効果が低下せず、且つ低コストで製造可能なものとして提供することができるという効果を奏する。
【発明を実施するための最良の形態】
【００１３】
以下、本発明を添付図面に示す実施形態に基いて説明するが、背景技術にて既述した便座装置と同様の構成には同一符号を付して説明を行う。また、説明文中に用いる前後左右等の各方向は、便座４０に着座状態にある使用者から見た方向を基準とする。
【００１４】
図３には、本発明の実施形態における一例の便座装置の設置状態を示している。便器５０はその上面に開口部５１が形成されるものであり、該上面であり且つ開口部５１より後方の部分には、箱型の便座支持体１が設置されている。便座支持体１の前部に形成される連結部７には、Ｏ字型を成す便座４０の基端部分４０ａを枢着させており、この便座４０の先端部分４０ｂを前方に倒した状態で、便器５０の開口部５１の開口縁上を便座４０が覆う構造になっている。便座支持体１の連結部７であり且つ便座４０の連結個所よりも後方の個所には、便蓋２の基端部分２ａを枢着させている。便蓋２は、その先端部分２ｂを前方に倒した状態において、便器５０の開口部５１及び便座４０の全体を上方から覆うような略楕円形状を成している。
【００１５】
図１には、便座支持体１と便蓋２との連結部分の構造を示し、図２には図１の主要部の構造を示し、図４には便座支持体１の構造を示し、図５には便蓋２の基端部分２ａの構造を示している。便座支持体１の前部は、該前部の上側部分に形成される連結部７と、該前部の下側部分に形成される載置部８とで構成されている。上記連結部７は、その左右両端面に便座４０及び便蓋２が回動自在に連結されるものである。また上記載置部８は、連結部７よりも左右方向及び前方に突出して形成されるものであり、その突出部分８ａの上面に、前方に倒した状態にある便座４０及び便蓋２の各基端部分２ａ，４０ａが載置される構造になっている。
【００１６】
便座支持体１の連結部７の左右両端面の、便蓋２との連結個所には、左右方向に伸びる筒状の支持軸４が突設されている。左右一対の支持軸４は、便蓋２の基端部分２ａの左右両端に設けられる回動連結部３とそれぞれ回動自在に嵌合させる為の部材であり、上記嵌合によって便蓋２が便座支持体１に回動自在に連結するものである。
【００１７】
便座支持体１の載置部８の左右側の突出部分８ａの上面であり、且つ左右両端の支持軸４の下方に位置する個所には、便蓋２の開動作を所定の全開位置にて確実に停止させる為の本体ストッパ部１０がそれぞれ固定されている。上記本体ストッパ部１０は、前後方向に伸びる緩衝部２０と、上下方向に伸びるストッパ受け部６とを、緩衝部２０の前端部分から上方にストッパ受け部６が延設されるように一体に設けた、側面視Ｌ字状の部材である。更に、上記の緩衝部２０は、上方に向けて突状を成す乗り超え部２１と、前後方向に伸びる引込み部２２とを、乗り超え部２１から前方斜め下方に引込み部２２が延設されるように一体に設けたものである。即ち、本例の本体ストッパ部１０は、乗り超え部２１と引込み部２２とストッパ受け部６とを前方に向けてこの順に連続形成したものであり、各部２１，２２，６の上面が円滑に連続するように設けている。
【００１８】
上記乗り超え部２１の上面は、上方に向けて突状を成す突曲面３０である。また上記引込み部２２の上面は、乗り超え部２１の突曲面３０の頂部から、前方斜め下方に略一直線状に傾斜して連続形成される傾斜面３１である。なお、傾斜面３１の傾斜角は、支持軸４の中心を通る回動中心軸Ａと傾斜面３１との距離Ｄが、傾斜面３１上の前側の部分となる程に緩やかに大きくなっていくような角度に設定している。
【００１９】
便蓋２の基端部分２ａには、その左右両端から連結片１１を延設しており、左右一対の連結片１１の互いに対向する内側面に、板状の軸保持体９を取付固定する為の取付部１２を形成している。上記軸保持体９は本例の回動連結部３となるものであって、Ｃ字状に形成され且つ可撓性を有する嵌合部１３と、嵌合部１３から延設されて取付部１２にねじ固定される固定部１４とで形成され、固定部１４を介して取付部１２に取付固定された状態で、Ｃ字状を成す嵌合部１３の開口部分１３ａが便蓋２の基端側に位置するようになっている。また、左右両側の連結片１１の先端には、本体ストッパ部１０の緩衝部２０と接触し且つ可能性を有する摺動部１５を形成しており、更にこの摺動部１５から、本体ストッパ部１０のストッパ受け部６と接触するストッパ部５を延設している。
【００２０】
上記構成の便蓋２を便座支持体１に装着するには、便座支持体１の左右両側の支持軸４に、便蓋２の左右両側に固定してある軸保持体９の嵌合部１３の開口部分１３ａを押し当ててこれを弾性的に押し広げることで、嵌合部１３内に支持軸４を回動自在に嵌合させればよい。これにより便蓋２は、その先端部分２ｂを前方に向けて倒した状態の位置（以下、これを「全閉位置」という）と、先端部分２ｂを上方斜め後方に向けて起立させた状態の全開位置との間で自在に位置を変えるように、回動中心軸Ａを中心として便座支持体１に回動自在に連結されるものである。
【００２１】
便蓋２の回動範囲は、便蓋２の全開位置、及び開動作中において全開位置に至る直前の位置（以下、これを「直前位置」という）において、便蓋２の先端部分２ｂが回動中心軸Ａよりも後方に位置するように設定している。また、便蓋２の全開位置及びその直前位置において、便蓋２の摺動部１５が回動中心軸Ａよりも下方に突出して位置し、且つストッパ部５が摺動部１５から前方に突出して位置するように設けている。
【００２２】
しかして、開動作を行なう便蓋２が全開位置に至ればストッパ部５の先端面がストッパ受け部６の後面に当たり、この全開位置にて開動作を終了するのだが、本例にあってはストッパ部５がストッパ受け部６と接触する直前の位置である直前位置において、まず便蓋２の基端側の先端部分から突設してある摺動部１５が、本体ストッパ部１０の後端側の先端部分に形成してある乗り超え部２１と接触する。摺動部１５は、撓みながら乗り超え部２１の突曲面３０上に乗り上がるとともに便蓋２の開動作の勢いを漸次弱めてゆき、突曲面３０の頂部を超えた後に、該突曲面３０と円滑に連続する引込み部２２の傾斜面３１に至る。この傾斜面３１は前述したように、前側の部分となる程に（即ち、全開位置に近い位置にある便蓋２の摺動部１５が接触する部分となる程に）、回動中心軸Ａとの間の距離Ｄが大きくなるような傾斜を有しているので、摺動部１５が傾斜面３１から受ける反力Ｆは、該摺動部１５を前方へと引込み、ストッパ部５がストッパ受け部６と当る全開位置にまで便蓋２を誘引するように生じることとなる。これは、傾斜面３１に押し当てられる摺動部１５には図２に示すように、傾斜面３１と垂直に生じる反力Ｆの分力として、回動中心軸Ａに向けて生じる分力Ｆａと、この分力Ｆａと直交する分力Ｆｂとが生じ、この分力Ｆｂが、便蓋２を全開位置にまで誘引する力として作用するからである。
【００２３】
上記のように、便蓋２の摺動部１５が摺動することとなる緩衝部２０を、直前位置にまで至った便蓋２の摺動部１５が全開位置に向けて乗り越える突曲面３０と、突曲面３０の頂部から略一直線状に連続形成される傾斜面３１とを有するものとし、且つ、上記突曲面３０を、その前側の部分となる程に（即ち、全開位置に近い位置にある便蓋２の摺動部１５が接触する部分となる程に）回動中心軸Ａとの間の距離Ｄが小さくなるように形成し、上記傾斜面３１を、その前側の部分となる程に（即ち、全開位置に近い位置にある便蓋２の摺動部１５が接触する部分となる程に）回動中心軸Ａとの間の距離Ｄが大きくなるように形成することで、開動作中の便蓋２は、まず直前位置において摺動部１５が乗り超え部２１の突曲面３０を乗り超えることで勢いを弱める。その後、便蓋２はその摺動部１５を傾斜面３１に摺動させながらストッパ部５がストッパ受け部６と衝突する全開位置に至るのだが、ここでの衝突は勢いが弱められたものとなる。加えて、上記衝突によるストッパ部５のストッパ受け部６からの跳ね返りは、傾斜面３１と接触する摺動部１５に対して生じる反力Ｆの分力Ｆｂが上記跳ね返りの方向と逆方向に作用することで抑制され、これにより便蓋２が勢い良く開動作された場合であっても全開位置での停止時にバウンド現象によって振動を生じることが確実に抑制されるものである。
【００２４】
加えて本例においては、軸保持体９のＣ字状を成す嵌合部１３のうち、便蓋２が全開位置にある場合に支持軸４の下方に位置する部分（図示例では開口部分１３ａに面する開口縁部分）に、便蓋２が緩衝部２０と接触して持ち上げられる際に該便蓋２と一体に持ち上げられて支持軸４に下方から圧接される圧接部１６を設けており、この圧接部１６により、便蓋２が全開となる際の軸保持体９と支持軸４との間のがたつきが解消される構造になっている。上記がたつきが存在する場合はこれが便蓋２のバウンド現象を助長させる原因となるが、本例においては圧接部１６を備えてがたつきを解消することで、全開位置での停止時に便蓋２に振動を生じることが更に確実に抑制されるものである。
【００２５】
このように、本例の便座装置にあっては、便蓋２が勢い良く開動作された場合であっても該便蓋２の停止時に大きな振動が生じることを確実に抑制することができる。しかも、便蓋２の摺動部１５は該便蓋２が直前位置にまで至らない限りは緩衝部２０と摺動せず余計な負荷を与えないので、便蓋２を手動で開閉しようとする使用者に開閉動作を面倒に感じさせることもない。また便蓋２をモータで開閉する構造であった場合には、高出力のモータを選定する必要がなく低コスト化が可能となる。また、モータの耐久性が低下するといった問題も生じない。
【００２６】
加えて、本体ストッパ部１０の緩衝部２０は、上方に突状の突曲面３０が上面となる乗り超え部２１と、前後方向に伸びる傾斜面３１が上面となる引込み部２２とを、乗り超え部２１から前方に引込み部２２が延設されるように一体形成した高耐久性の部材になっているので、開閉動作を繰返した場合であっても、上記緩衝部２０に破損を生じて振動抑制効果が低下する恐れがないものである。
【００２７】
また、便蓋２の全開時には、軸保持体９の圧接部１６が、支持軸４と軸保持体９との間のがたつきを無くすように作用するので、予め各部品を高精度で設計及び組立てておく必要なく便蓋２のバウンド現象を抑制することができ、したがって低コストで提供することが可能となる。
【００２８】
なお、本例においては便座支持体１を、便座４０及び便蓋２を回動自在に支持するものとしてのみ説明したが、局部洗浄手段や、便座４０及び便蓋２の自動開閉手段等の多様な手段を具備したものであってもよいことは勿論である。
【図面の簡単な説明】
【００２９】
【図１】本発明の実施形態における一例の便座装置の便座支持体と便蓋との連結部分の構造を示す説明図である。
【図２】図１の主要部説明図である。
【図３】同上の便座装置の設置状態を示す説明図である。
【図４】同上の便座支持体の構造を示す説明図である。
【図５】同上の便蓋の基端部分の構造を示す説明図である。
【図６】従来の便座装置の便座支持体と便蓋との連結部分の構造を示す説明図である。
【符号の説明】
【００３０】
１  便座支持体
２  便蓋
２ａ  基端部分
３  回動連結部
４  支持軸
５  ストッパ部
６  ストッパ受け部
９  軸保持体
１５  摺動部
１６  圧接部
２０  緩衝部
３０  突曲面
３１  傾斜面
４０  便座
５０  便器
Ａ  回動中心軸
Ｄ  距離
【図１】
2006167307.tif 000003
【図２】
2006167307.tif 000004
【図３】
2006167307.tif 000005
【図４】
2006167307.tif 000006
【図５】
2006167307.tif 000007
【図６】
2006167307.tif 000008